(57)【要約】【課題】画面切替を行なうモニタへのカーソル移動を行なうことなく、モニタの画面切替を行う監視制御装置を得る。【解決手段】マルチモニタのいずれかのモニタの画面上に形成された画面切替トリガ領域ごとに、画面が切替られるモニタおよびこのモニタに切替え表示される画面とを対応させて予め定義した表示画面切替データベース３を有し、画面切替トリガ領域にカーソルが有るか否かをカーソル位置確認部２１により確認し、画面切替トリガ領域にカーソルが有る場合に、表示画面切替データベース３の定義にしたがって、画面切替処理部２２が、カーソルが有る画面切替トリガ領域に対応するモニタの画面切替を実行するようにした。【選択図】図１
2018185646.tif 000002
【特許請求の範囲】
【請求項１】
複数のモニタへの表示を行う表示部、
いずれかの上記モニタの画面上に形成された所定領域と、画面が切替られるモニタおよびこのモニタに切替え表示される画面とを対応させて予め定義した表示画面切替データベース、
上記所定領域内にカーソルが有るか否かを判定するカーソル位置判定部、
およびこのカーソル位置判定部により上記所定領域内にカーソルが有る場合に、上記表示画面切替データベースの定義にしたがって、上記所定領域に対応するモニタの画面切替を実行する画面切替制御部を備えたことを特徴とする監視制御装置。
【請求項２】
複数のモニタのうちの特定のモニタの画面上の所定領域内にカーソルが有るか否かを、カーソル位置判定部により判定する第一のステップ、
および上記所定領域と、画面が切替られるモニタおよびこのモニタに切替え表示される画面とを対応させて予め定義された表示画面切替データベースの定義にしたがって、画面切替制御部が、上記所定領域内にカーソルが有る場合に、上記所定領域に対応するモニタの画面切替を実行する第二のステップを含むことを特徴とする監視制御画面切替方法。
【発明の詳細な説明】
【技術分野】
【０００１】
この発明は、複数のモニタを有するマルチモニタ構成の画面切替を行なう監視制御装置および監視制御画面切替方法に関するものである。
【背景技術】
【０００２】
従来のマルチモニタ構成の監視制御装置において、第一のモニタの表示画面を切替える時には、カーソルを第一のモニタに移動し、表示画面切替操作を行うとともに、第二のモニタの表示画面を切替える時には、カーソルを第二のモニタに移動し、表示画面切替操作を行うというように、カーソルのモニタ間移動を行い、操作する必要がある。（例えば、特許文献１参照）
【先行技術文献】
【特許文献】
【０００３】
【特許文献１】特開２００８−１５２６１３号公報（第４〜６頁、第３図）
【発明の概要】
【発明が解決しようとする課題】
【０００４】
従来のマルチモニタ構成の監視制御装置では、モニタの表示画面を切替える時には、操作員がカーソルを当該モニタに移動し、表示画面切替操作を行う必要があった。
【０００５】
この発明は、上述のような課題を解決するためになされたものであり、画面切替を行なうモニタへのカーソル移動を行なうことなく、モニタの画面切替を行う監視制御装置および監視制御画面切替方法を得ることを目的にする。
【課題を解決するための手段】
【０００６】
この発明に係わる監視制御装置においては、複数のモニタへの表示を行う表示部、いずれかのモニタの画面上に形成された所定領域と、画面が切替られるモニタおよびこのモニタに切替え表示される画面とを対応させて予め定義した表示画面切替データベース、所定領域内にカーソルが有るか否かを判定するカーソル位置判定部、およびこのカーソル位置判定部により所定領域内にカーソルが有る場合に、表示画面切替データベースの定義にしたがって、所定領域に対応するモニタの画面切替を実行する画面切替制御部を備えたものである。
【発明の効果】
【０００７】
この発明によれば、複数のモニタへの表示を行う表示部、いずれかのモニタの画面上に形成された所定領域と、画面が切替られるモニタおよびこのモニタに切替え表示される画面とを対応させて予め定義した表示画面切替データベース、所定領域内にカーソルが有るか否かを判定するカーソル位置判定部、およびこのカーソル位置判定部により所定領域内にカーソルが有る場合に、表示画面切替データベースの定義にしたがって、所定領域に対応するモニタの画面切替を実行する画面切替制御部を備えたので、画面切替を行なうモニタへのカーソル移動を行なうことなく、モニタの画面切替を行うことができる。
【図面の簡単な説明】
【０００８】
【図１】この発明の実施の形態１による監視制御装置を示すシステム構成図である。
【図２】この発明の実施の形態１による監視制御装置のハードウェア構成を示す図である。
【図３】この発明の実施の形態１による監視制御装置の動作を示すフローチャートである。
【図４】この発明の実施の形態１による監視制御装置のモニタ画面切替を示す図である。
【発明を実施するための形態】
【０００９】
実施の形態１．
以下、この発明の実施の形態１を図に基づいて説明する。
図１は、この発明の実施の形態１による監視制御装置を示すシステム構成図である。
図１において、プラントの状態・計測値を監視する監視制御装置１は、演算部２、表示画面切替データベース３および表示部４を有する。
演算部２は、監視制御装置１全体を制御する。表示画面切替データベース３は、一つのモニタの画面上の画面切替トリガ領域（所定領域）と、この画面切替トリガ領域に対応して、画面切替対象モニタ、表示対象画面を定義し、登録している。表示部４は、マルチモニタへの表示を行う。
【００１０】
演算部２は、次のように構成されている。
カーソル位置確認部２１（カーソル位置判定部）は、現時点のカーソル位置を特定し、現時点のカーソル位置が、表示画面切替データベース３に登録されている画面切替トリガ領域にあるかどうかを判定する。
画面切替処理部２２（画面切替制御部）は、現時点のカーソル位置が、画面切替トリガ領域にある場合には、表示画面切替データベース３に登録されている画面切替対象モニタ、表示対象画面を、表示部４に渡す。
表示部４で、画面切替対象モニタの画面を表示対象画面に自動で切り替える。
【００１１】
図２は、この発明の実施の形態１による監視制御装置のハードウェア構成を示す図である。
図２において、監視制御装置１は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ＨＤＤ（Ｈａｒｄ  Ｄｉｓｋ  Ｄｒｉｖｅ）１４、モニタ１５を有している。
ＣＰＵ１１は、演算部２を構成し、ＲＯＭ１２に格納されたプログラムを用いて、演算時の一時記憶にＲＡＭ１３を使用して、カーソル位置確認部２１および画面切替処理部２２の処理を実行し、表示部４からモニタ１５に表示する。
表示画面切替データベース３は、例えばＨＤＤ１４に格納されているが、他の記憶装置に格納される構成であってもよい。
【００１２】
図４は、この発明の実施の形態１による監視制御装置のモニタ画面切替を示す図である。
図４において、監視制御装置は、モニタが２台（モニタ１５ａ、モニタ１５ｂ）で構成されたマルチモニタ構成である。
図４（ａ）は切り替え前のモニタ画面を示す図、図４（ｂ）は表示画面Ｃに切替えられたモニタ１５ｂの画面を示す図、図４（ｃ）は表示画面Ｄに切替えられたモニタ１５ｂの画面を示す図である。
図４では、モニタ１５ａの表示画面Ａに画面切替トリガ領域を２箇所登録していて、この画面切替トリガ領域にカーソルを移動することにより、画面切替を行なう。
【００１３】
次に、動作について説明する。
モニタ１５ａの表示画面Ａに２箇所表示される画面切替トリガ領域は、画面切替トリガ領域１と、画面切替トリガ領域２である。
表示画面Ａ上に表示される画面切替トリガ領域１は、画面切替対象モニタ：モニタ１５ｂで、表示対象画面：表示画面Ｃである。画面切替トリガ領域２は、画面切替対象モニタ：モニタ１５ｂで、表示対象画面：表示画面Ｄである。これらの画面切替トリガ領域は、表示画面切替データベース３に登録されている。
この場合、モニタ１５ａで、カーソルが表示画面Ａの画面切替トリガ領域１内に入ったとき、モニタ１５ｂの画面を表示画面Ｃに自動で切り替える。
また、モニタ１５ａで、カーソルが表示画面Ａの画面切替トリガ領域２内に入ったとき、モニタ１５ｂの画面を表示画面Ｄに自動で切り替えるようになっている。
【００１４】
次に、図３を用いて、演算部２の処理の流れについて説明する。
図３のステップＳ０１で、カーソル位置を確認し、ステップＳ０２で、カーソル位置が画面切替トリガ領域にあるかどうかを判定する。（ステップＳ０１、Ｓ０２が第一のステップ）。
カーソル位置が画面切替トリガ領域内にある場合、ステップＳ０３で、画面切替を行う画面切替対象モニタを決定し、ステップＳ０４で、画面切替対象モニタに表示する表示対象画面を決定する。
ステップＳ０５で、画面切替対象モニタの画面を表示対象画面に自動で切り替える。（ステップＳ３〜Ｓ５が第二のステップ）
ステップＳ０２で、カーソル位置が画面切替トリガ領域内にない場合は、ステップＳ０１に戻る。
【００１５】
実施の形態１によれば、一つのモニタ画面内に一つ以上の画面切替トリガ領域を設け、その画面切替トリガ領域にカーソルを移動させて、自動的にモニタ画面の切り替えを行なうので、モニタ間のカーソル移動を行なうことなく、モニタの切り替えを行なうことができる。
また、モニタの表示画面を切替える時の操作員の作業を軽減することができる。
【００１６】
なお、本発明は、その発明の範囲内において、実施の形態を適宜、変形、省略することが可能である。
【符号の説明】
【００１７】
１  監視制御装置、２  演算部、３  表示画面切替データベース、４  表示部、
１１  ＣＰＵ、１２  ＲＯＭ、１３  ＲＡＭ、１４  ＨＤＤ、１５  モニタ、
２１  カーソル位置確認部、２２  画面切替処理部
【図１】
2018185646.tif 000003
【図２】
2018185646.tif 000004
【図３】
2018185646.tif 000005
【図４】
2018185646.tif 000006